(57)【要約】  撮影条件の変更による表現の幅をユーザに伝え、次の撮影におけるユーザによる撮影条件設定の選択肢を広げることを目的として、本発明に係る撮像装置（１）は、被写体の画像を取得する撮像部（２）と、取得された画像から主要被写体と背景とを分離して抽出する被写体抽出部（８）と、抽出された主要被写体および背景と撮像部（２）との距離を算出する距離情報取得部（９）と、画像の取得時の取得時撮影条件と、取得時撮影条件に対して調節可能な可調撮影条件とを取得する撮影条件取得部（１１）と、取得された取得時撮影条件および可調撮影条件と、取得された距離とに基づいて、調節する価値がある撮影条件を選択する撮影条件選択部（１２）と、撮像部（２）により取得された画像に対し、選択された撮影条件に設定されたときに取得される画像を画像処理により生成する画像処理部（１３）とを備える。
2017056314.tif 000002
【特許請求の範囲】
【請求項１】
被写体の画像を取得する撮像部と、
該撮像部により取得された画像から主要被写体と背景とを分離して抽出する被写体抽出部と、
該被写体抽出部により抽出された主要被写体および背景と前記撮像部との距離を算出する距離情報取得部と、
前記画像の取得時の取得時撮影条件と、該取得時撮影条件に対して調節可能な可調撮影条件とを取得する撮影条件取得部と、
該撮影条件取得部により取得された取得時撮影条件および可調撮影条件と、前記距離情報取得部により取得された前記距離とに基づいて、調節する価値がある撮影条件を選択する撮影条件選択部と、
前記撮像部により取得された画像に対し、前記撮影条件選択部により選択された撮影条件に設定されたときに取得される画像を画像処理により生成する画像処理部とを備える撮像装置。
【請求項２】
前記取得時撮影条件が、前記画像の取得時に装着されていたレンズの撮影条件であり、
前記可調撮影条件が、前記画像の取得時に装着されていたレンズにおける調節可能な撮影条件である請求項１に記載の撮像装置。
【請求項３】
前記取得時撮影条件が、前記画像の取得時に装着されていたレンズの撮影条件であり、
前記可調撮影条件が、前記画像の取得時に装着されていたレンズとは異なる交換可能なレンズの撮影条件である請求項１に記載の撮像装置。
【請求項４】
前記画像処理が、電子ぼかし処理であり、
前記撮影条件選択部は、前記取得時撮影条件および前記可調撮影条件に基づいて、レンズのＦ値を小さく調節する余地があること、および前記撮像部から前記被写体までの距離が第１の閾値より小さく、かつ、前記撮像部から前記背景までの距離が前記第１の閾値より大きい第２の閾値より大きいことを条件として、調節する価値のある撮影条件としてＦ値を選択する請求項１から請求項３のいずれかに記載の撮像装置。
【請求項５】
前記画像処理が、トリミング処理であり、
前記撮影条件選択部は、前記取得時撮影条件および前記可調撮影条件に基づいて、レンズの焦点距離に調節の余地があること、および前記撮像部から前記被写体までの距離が第１の閾値より大きいことを条件として、調節する価値のある撮影条件として焦点距離を選択する請求項１から請求項３のいずれかに記載の撮像装置。
【請求項６】
前記画像処理が、合焦処理であり、
前記撮像部が、ピント位置を異ならせた前記被写体の複数の画像を取得し、
前記撮影条件選択部は、前記撮像部から前記被写体までの距離が第１の閾値より小さく、かつ、前記撮像部から前記背景までの距離が前記第１の閾値より大きい第２の閾値より大きいことを条件として、Ｆ値を大きく調節する価値のある撮影条件としてＦ値を選択する請求項１から請求項３のいずれかに記載の撮像装置。
【請求項７】
前記撮像部により取得された画像に基づいて、前記被写体抽出部により抽出された前記主要被写体の種別を判別する被写体種別判別部を備え、
前記撮影条件選択部が、さらに前記被写体種別判別部により判別された主要被写体の種別に適していることを条件として、調節する価値のある撮影条件を選択する請求項１から請求項６のいずれかに記載の撮像装置。
【請求項８】
撮像部により取得された画像から主要被写体と背景とを分離して抽出する被写体抽出部と、
該被写体抽出部により抽出された主要被写体および背景と前記撮像部との距離を算出する距離情報取得部と、
前記画像の取得時の取得時撮影条件と、該取得時撮影条件に対して調節可能な可調撮影条件とを取得する撮影条件取得部と、
前記撮影条件取得部により取得された取得時撮影条件および可調撮影条件と、前記距離情報取得部により取得された前記距離とに基づいて、調節する価値がある撮影条件を選択する撮影条件選択部と、
前記撮像部により取得された画像に対し、前記撮影条件選択部により選択された撮影条件に設定されたときに取得される画像を画像処理により生成する画像処理部とを備える提案画像生成装置。
【請求項９】
撮像部により取得された画像から主要被写体と背景とを分離して抽出する被写体抽出ステップと、
該被写体抽出ステップにより抽出された主要被写体および背景と前記撮像部との距離を算出する距離情報取得ステップと、
前記画像の取得時の取得時撮影条件と、該取得時撮影条件に対して調節可能な可調撮影条件とを取得する撮影条件取得ステップと、
前記撮影条件取得ステップにより取得された取得時撮影条件および可調撮影条件と、前記距離情報取得ステップにより取得された前記距離とに基づいて、調節する価値がある撮影条件を選択する撮影条件選択ステップと、
前記撮像部により取得された画像に対し、前記撮影条件選択ステップにより選択された撮影条件に設定されたときに取得される画像を画像処理により生成する画像処理ステップとを含む提案画像生成方法。
【請求項１０】
撮像部により取得された画像から主要被写体と背景とを分離して抽出する被写体抽出ステップと、
該被写体抽出ステップにより抽出された主要被写体および背景と前記撮像部との距離を算出する距離情報取得ステップと、
前記画像の取得時の取得時撮影条件と、該取得時撮影条件に対して調節可能な可調撮影条件とを取得する撮影条件取得ステップと、
前記撮影条件取得ステップにより取得された取得時撮影条件および可調撮影条件と、前記距離情報取得ステップにより取得された前記距離とに基づいて、調節する価値がある撮影条件を選択する撮影条件選択ステップと、
前記撮像部により取得された画像に対し、前記撮影条件選択ステップにより選択された撮影条件に設定されたときに取得される画像を画像処理により生成する画像処理ステップとをコンピュータに実行させる提案画像生成プログラム。
【請求項１１】
撮像部により取得された画像から主要被写体と背景とを分離して抽出する被写体抽出ステップと、
該被写体抽出ステップにより抽出された主要被写体および背景と前記撮像部との距離を算出する距離情報取得ステップと、
前記画像の取得時の取得時撮影条件と、該取得時撮影条件に対して調節可能な可調撮影条件とを取得する撮影条件取得ステップと、
前記撮影条件取得ステップにより取得された取得時撮影条件および可調撮影条件と、前記距離情報取得ステップにより取得された前記距離とに基づいて、調節する価値がある撮影条件を選択する撮影条件選択ステップと、
前記撮像部により取得された画像に対し、前記撮影条件選択ステップにより選択された撮影条件に設定されたときに取得される画像を画像処理により生成する画像処理ステップとをコンピュータに実行させる提案画像生成プログラムを記憶した非一時的なコンピュータ読み取り可能な記憶媒体。
【発明の詳細な説明】
【技術分野】
【０００１】
本発明は、撮像装置、提案画像生成装置、提案画像生成方法、提案画像生成プログラムおよび記憶媒体に関するものである。
【背景技術】
【０００２】
ＡＥブラケットおよびＡＦブラケットのように、１回の撮影指示で、撮影条件を変えながら複数枚の画像を取得するブラケット撮影機能が知られている（例えば、特許文献１参照。）。
ブラケット撮影機能は、他の撮影条件を固定した状態で、露出や焦点距離などのいずれか１つの撮影条件を変化させながら複数枚の画像を取得するので、取得された写真群の中に、より正確な露出や焦点距離で取得されたより望ましい画像を含ませることができる。
【先行技術文献】
【特許文献】
【０００３】
【特許文献１】特開２００４−３３３９２４号公報
【発明の概要】
【発明が解決しようとする課題】
【０００４】
ブラケット撮影機能によれば、望ましい画像を取得するために、残りの多くの望ましくない画像を取得しなければならず、取得された膨大な画像群から望ましい画像を抽出する作業が必要であるとともに、これらの望ましくない画像を記憶しておくための膨大なメモリ量も必要となる。
また、ブラケット撮影機能は、変更する撮影条件以外の撮影条件についてはユーザが設定しておく必要があり、ユーザが撮影条件についての知識を有している必要がある。撮影に不慣れなユーザにとっては、被写体に応じた撮影条件の設定をすること自体が難しいため、このようなユーザに、撮影条件の変更による表現の幅を伝えることはできない。【０００５】
本発明は、上述した事情に鑑みてなされたものであって、撮影条件の変更による表現の幅をユーザに伝え、次の撮影におけるユーザによる撮影条件設定の選択肢を広げることができる撮像装置、提案画像生成装置、提案画像生成方法、提案画像生成プログラムおよび記憶媒体を提供する。
【課題を解決するための手段】
【０００６】
本発明の一態様は、被写体の画像を取得する撮像部と、該撮像部により取得された画像から主要被写体と背景とを分離して抽出する被写体抽出部と、該被写体抽出部により抽出された主要被写体および背景と前記撮像部との距離を算出する距離情報取得部と、前記画像の取得時の取得時撮影条件と、該取得時撮影条件に対して調節可能な可調撮影条件とを取得する撮影条件取得部と、該撮影条件取得部により取得された取得時撮影条件および可調撮影条件と、前記距離情報取得部により取得された前記距離とに基づいて、調節する価値がある撮影条件を選択する撮影条件選択部と、前記撮像部により取得された画像に対し、前記撮影条件選択部により選択された撮影条件に設定されたときに取得される画像を画像処理により生成する画像処理部とを備える撮像装置である。【０００７】
本態様によれば、撮像部により被写体の画像を取得すると、被写体抽出部により画像中の主要被写体と背景とが分離抽出され、距離情報取得部により主要被写体および背景と撮像部との距離が算出される。また、撮影条件取得部により、画像の取得時の取得時撮影条件と該取得時撮影条件に対して調節可能な可調撮影条件とが取得される。調節可能な撮影条件である可調撮影条件が取得された場合であって、かつ、距離情報取得部により取得された距離が所定の条件を満たす場合に、その撮影条件が、調節する価値のある撮影条件であるとして撮影条件選択部により選択される。【０００８】
そして、選択された撮影条件に設定されたときに取得される画像が画像処理部によって、撮像部により取得された画像を画像処理することによって生成される。これにより、撮影条件の設定次第で、生成された画像のような画像を取得する可能性があることをユーザに伝えることができ、次の撮影におけるユーザによる撮影条件設定の選択肢を広げることができる。【０００９】
上記態様においては、前記取得時撮影条件が、前記画像の取得時に装着されていたレンズの撮影条件であり、前記可調撮影条件が、前記画像の取得時に装着されていたレンズにおける調節可能な撮影条件であってもよい。
このようにすることで、画像の取得時に装着されていたレンズのままで、レンズ交換することなく、撮影条件の設定次第で、生成された画像のような画像を取得する可能性があることをユーザに伝えることができ、次の撮影におけるユーザによる撮影条件設定の選択肢を広げることができる。【００１０】
また、上記態様においては、前記取得時撮影条件が、前記画像の取得時に装着されていたレンズの撮影条件であり、前記可調撮影条件が、前記画像の取得時に装着されていたレンズとは異なる交換可能なレンズの撮影条件であってもよい。
このようにすることで、画像の取得時に装着されていたレンズを、他の交換可能なレンズに交換すれば、撮影条件の設定次第で、生成された画像のような画像を取得する可能性があることをユーザに伝えることができ、次の撮影におけるユーザによる撮影条件設定の選択肢を広げることができる。【００１１】
また、上記態様においては、前記画像処理が、電子ぼかし処理であり、前記撮影条件選択部は、前記取得時撮影条件および前記可調撮影条件に基づいて、レンズのＦ値を小さく調節する余地があること、および前記撮像部から前記被写体までの距離が第１の閾値より小さく、かつ、前記撮像部から前記背景までの距離が前記第１の閾値より大きい第２の閾値より大きいことを条件として、調節する価値のある撮影条件としてＦ値を選択してもよい。【００１２】
このようにすることで、撮像部から被写体までの距離が遠くかつ撮像部から背景までの距離が被写体とさほど変わらない場合には、電子ぼかし処理を実施してもぼかしの効果が十分に得られないので、レンズのＦ値を小さく調節する余地がある場合でも、調節する価値のある撮影条件としてＦ値が選択されない。これにより、無駄な画像の生成および記憶を行わずに済む。【００１３】
また、上記態様においては、前記画像処理が、トリミング処理であり、前記撮影条件選択部は、前記取得時撮影条件および前記可調撮影条件に基づいて、レンズの焦点距離に調節の余地があること、および前記撮像部から前記被写体までの距離が第１の閾値より大きいことを条件として、調節する価値のある撮影条件として焦点距離を選択してもよい。【００１４】
このようにすることで、撮像部から被写体までの距離が近い場合に、トリミング処理を実施しても効果が十分に得られないので、焦点距離に調節の余地がある場合でも、調節する価値のある撮影条件として焦点距離が選択されない。これにより、無駄な画像の生成および記憶を行わずに済む。【００１５】
また、上記態様においては、前記画像処理が、合焦処理であり、前記撮像部が、ピント位置を異ならせた前記被写体の複数の画像を取得し、前記撮影条件選択部は、前記撮像部から前記被写体までの距離が第１の閾値より小さく、かつ、前記撮像部から前記背景までの距離が前記第１の閾値より大きい第２の閾値より大きいことを条件として、Ｆ値を大きく調節する価値のある撮影条件としてＦ値を選択してもよい。【００１６】
このようにすることで、撮像部から被写体までの距離が遠くかつ撮像部から背景までの距離が被写体とさほど変わらない場合には、合焦処理を実施しても効果が十分に得られないので、レンズのＦ値を大きく調節する余地がある場合でも、調節する価値のある撮影条件としてＦ値が選択されない。これにより、無駄な画像の生成および記憶を行わずに済む。【００１７】
また、上記態様においては、前記撮像部により取得された画像に基づいて、前記被写体抽出部により抽出された前記主要被写体の種別を判別する被写体種別判別部を備え、前記撮影条件選択部が、さらに前記被写体種別判別部により判別された主要被写体の種別に適していることを条件として、調節する価値のある撮影条件を選択してもよい。【００１８】
このようにすることで、被写体種別判別部により主要被写体の種別が判別され、判別された主要被写体の種別が、撮影条件選択部による撮影条件の選択の条件となる。したがって、調節の余地がある撮影条件であり、かつ、撮像部と主要被写体および背景との距離が所定の条件を満たす場合であっても、主要被写体の種別に適していない撮影条件は選択されない。これにより、無駄な画像の生成および記憶を行わずに済む。【００１９】
また、本発明の他の態様は、撮像部により取得された画像から主要被写体と背景とを分離して抽出する被写体抽出部と、該被写体抽出部により抽出された主要被写体および背景と前記撮像部との距離を算出する距離情報取得部と、前記画像の取得時の取得時撮影条件と、該取得時撮影条件に対して調節可能な可調撮影条件とを取得する撮影条件取得部と、前記撮影条件取得部により取得された取得時撮影条件および可調撮影条件と、前記距離情報取得部により取得された前記距離とに基づいて、調節する価値がある撮影条件を選択する撮影条件選択部と、前記撮像部により取得された画像に対し、前記撮影条件選択部により選択された撮影条件に設定されたときに取得される画像を画像処理により生成する画像処理部とを備える提案画像生成装置である。【００２０】
また、本発明の他の態様は、撮像部により取得された画像から主要被写体と背景とを分離して抽出する被写体抽出ステップと、該被写体抽出ステップにより抽出された主要被写体および背景と前記撮像部との距離を算出する距離情報取得ステップと、前記画像の取得時の取得時撮影条件と、該取得時撮影条件に対して調節可能な可調撮影条件とを取得する撮影条件取得ステップと、前記撮影条件取得ステップにより取得された取得時撮影条件および可調撮影条件と、前記距離情報取得ステップにより取得された前記距離とに基づいて、調節する価値がある撮影条件を選択する撮影条件選択ステップと、前記撮像部により取得された画像に対し、前記撮影条件選択ステップにより選択された撮影条件に設定されたときに取得される画像を画像処理により生成する画像処理ステップとを含む提案画像生成方法である。【００２１】
また、本発明の他の態様は、撮像部により取得された画像から主要被写体と背景とを分離して抽出する被写体抽出ステップと、該被写体抽出ステップにより抽出された主要被写体および背景と前記撮像部との距離を算出する距離情報取得ステップと、前記画像の取得時の取得時撮影条件と、該取得時撮影条件に対して調節可能な可調撮影条件とを取得する撮影条件取得ステップと、前記撮影条件取得ステップにより取得された取得時撮影条件および可調撮影条件と、前記距離情報取得ステップにより取得された前記距離とに基づいて、調節する価値がある撮影条件を選択する撮影条件選択ステップと、前記撮像部により取得された画像に対し、前記撮影条件選択ステップにより選択された撮影条件に設定されたときに取得される画像を画像処理により生成する画像処理ステップとをコンピュータに実行させる提案画像生成プログラムである。【００２２】
さらに、本発明の他の態様は、撮像部により取得された画像から主要被写体と背景とを分離して抽出する被写体抽出ステップと、該被写体抽出ステップにより抽出された主要被写体および背景と前記撮像部との距離を算出する距離情報取得ステップと、前記画像の取得時の取得時撮影条件と、該取得時撮影条件に対して調節可能な可調撮影条件とを取得する撮影条件取得ステップと、前記撮影条件取得ステップにより取得された取得時撮影条件および可調撮影条件と、前記距離情報取得ステップにより取得された前記距離とに基づいて、調節する価値がある撮影条件を選択する撮影条件選択ステップと、前記撮像部により取得された画像に対し、前記撮影条件選択ステップにより選択された撮影条件に設定されたときに取得される画像を画像処理により生成する画像処理ステップとをコンピュータに実行させる提案画像生成プログラムを記憶した非一時的なコンピュータ読み取り可能な記憶媒体である。
【発明の効果】
【００２３】
本発明によれば、撮影条件の変更による表現の幅をユーザに伝え、次の撮影におけるユーザによる撮影条件設定の選択肢を広げることができるという効果を奏する。
【図面の簡単な説明】
【００２４】
【図１】本発明の一実施形態に係る撮像装置を示すブロック図である。
【図２】図１の撮像装置を用いた提案画像生成方法を示すフローチャートである。
【図３】図２の提案画像生成方法の撮影条件選択ステップを示すフローチャートである。
【図４】図２の提案画像生成方法の画像処理ステップを示すフローチャートである。
【図５】図２の提案画像生成方法の変形例を示すフローチャートである。
【図６】図１の撮像装置の変形例を示すブロック図である。
【図７】図６の撮像装置を用いた提案画像生成方法を示すフローチャートである。
【図８】図７の提案画像生成方法の撮影条件選択ステップを示すフローチャートである。
【発明を実施するための形態】
【００２５】
本発明の一実施形態に係る撮像装置１について、図面を参照して以下に説明する。
本実施形態に係る撮像装置１は、図１に示されるように、被写体を撮影して画像を取得する撮像部２と、該撮像部２により取得された画像を処理して提案画像を生成する提案画像生成部（提案画像生成装置）３と、生成された提案画像を表示する表示部４とを備えている。
【００２６】
撮像部２は、交換可能なレンズ５と、該レンズ５により集光された被写体からの光を撮影する撮像素子６とを備えている。また、撮像部２は、装着されているレンズ５の情報を読み取るレンズ情報取得部７を備えている。
【００２７】
レンズ情報取得部７は、レンズ５に備えられた図示しないＩＣあるいはバーコード等の情報記憶部の記憶を読み取るリーダである。レンズ５の情報としては、Ｆ値の調節範囲および画像取得時の値、焦点距離の範囲および画像取得時の値等を挙げることができる。
【００２８】
画像取得時の値以外のレンズ５の情報は、レンズ５から個別に読み取ってもよいし、レンズ５からは識別情報を読み取って、図示しないメモリに記憶されているレンズ５の情報を識別情報によって読み出すことにしてもよい。
また、本実施形態においては、撮像部２は、１回の撮影指示によって、ピント位置の異なる複数枚の画像を取得するようになっている。
【００２９】
本発明の一実施形態に係る提案画像生成部３は、撮像部２により取得されたいずれかの画像を処理して主要被写体と背景とを抽出する被写体抽出部８と、抽出された主要被写体および背景と撮像部２との距離を算出する距離情報取得部９と、レンズ情報取得部７により取得されたレンズ５の情報を記憶する記憶部１０と、該記憶部１０からレンズ５の情報を読み出すレンズ情報読取部（撮影条件取得部）１１と、読み出したレンズ５の情報および算出された距離情報に基づいて、調節する価値のある撮影条件を選択する判定部（撮影条件選択部）１２と、選択された撮影条件に基づいて、撮像部２により取得された画像を処理する画像処理部１３とを備えている。
【００３０】
これら被写体抽出部８、距離情報取得部９、記憶部１０、レンズ情報読取部１１、判定部１２および画像処理部１３は回路により構成されている。表示部４はモニタである。
【００３１】
被写体抽出部８による主要被写体および背景の抽出、および距離情報取得部９による距離の算出については公知の方法による。
判定部１２は、まず、レンズ情報取得部７により取得されたレンズ５の情報に基づいて、Ｆ値、焦点距離およびズーム倍率が調節可能な撮影条件であるか否かを判定するようになっている。
【００３２】
すなわち、判定部１２は、図３に示されるように、レンズ５の情報として読み出したレンズ５のＦ値の画像取得時の値が調節範囲内のどこに位置するかによって、調節の余地があるか否かを判定するようになっている。調節の余地がない場合には、調節する価値のない撮影条件であると判定するようになっている。
【００３３】
また、Ｆ値を小さく調節する余地がある場合（ステップＳ１１）には、算出された距離情報に基づいて、「調節する価値のある撮影条件」であるか否かを判定するようになっている。具体的には、撮像部２から主要被写体までの距離が第１の閾値ＴＨ１より小さく（ステップＳ１２）、かつ、撮像部２から背景までの距離が第２の閾値ＴＨ２（＞ＴＨ１）より大きい場合（ステップＳ１３）に、Ｆ値を小さく「調節する価値のある撮影条件」であると判定するようになっている（ステップＳ１４）。主要被写体が遠く、背景も遠い場合に、Ｆ値を小さく調節しても十分な効果が得られないので、この場合には、Ｆ値を小さく「調節する価値のない撮影条件」であると判定するようになっている。
【００３４】
すなわち、主要被写体が近く、かつ、主要被写体と背景とが離れている場合に、背景をぼかす効果を十分に得ることができるので、このような場合に、Ｆ値を小さく「調節する価値のある撮影条件」であると判定するようになっている。
【００３５】
また、算出された距離情報に基づいて、Ｆ値を大きく「調節する価値のある撮影条件」であるか否かを判定するようになっている。具体的には、撮像部２から主要被写体までの距離が第３の閾値ＴＨ３より小さく（ステップＳ１６）、かつ、撮像部２から背景までの距離が大きい第４の閾値ＴＨ４（＞ＴＨ３）より大きい場合（ステップＳ１７）に、Ｆ値の値を大きく「調節する価値のある撮影条件」であると判定するようになっている（ステップＳ１８）。主要被写体が遠く、背景も遠い場合に、Ｆ値の値を大きく調節しても十分な効果が得られないので、この場合には、Ｆ値の値を大きく「調節する価値のない撮影条件」であると判定するようになっている。
【００３６】
すなわち、主要被写体が近く、かつ、主要被写体と背景とが離れている場合に、被写界深度を深くする効果を十分に得ることができるので、このような場合に、Ｆ値の値を大きく「調節する価値のある撮影条件」であると判定するようになっている。
【００３７】
また、レンズ５の焦点距離に調節の余地がある場合（ステップＳ１９）には、算出された距離情報に基づいて、焦点距離を「調節する価値のある撮影条件」であるか否かを判定するようになっている。具体的には、撮像部２から主要被写体までの距離が第５の閾値ＴＨ５より大きい場合（ステップＳ２０）に、焦点距離を「調節する価値のある撮影条件」であると判定するようになっている（ステップＳ２１）。主要被写体が近い場合に、焦点距離を調節しても十分な効果が得られないので、この場合には、焦点距離を「調節する価値のない撮影条件」であると判定するようになっている。
【００３８】
すなわち、主要被写体が遠い場合に、被写体に対する背景の割合を調節する効果を十分に得ることができるので、このような場合に、焦点距離を「調節する価値のある撮影条件」であると判定するようになっている。
【００３９】
画像処理部１３は、図４に示されるように、判定部１２において、Ｆ値を小さく「調節する価値のある撮影条件」であると判定された場合（ステップＳ３１）に、Ｆ値を小さく調節したならば得られるであろう提案画像を、撮像部２により取得されたいずれかの画像を電子ぼかし処理することによって生成するようになっている（ステップＳ３２）。
また、画像処理部１３は、判定部１２において、Ｆ値を大きく「調節する価値のある撮影条件」であると判定された場合（ステップＳ３３）に、Ｆ値を大きく調節したならば得られるであろう提案画像を、撮像部２により取得された複数の画像を合焦処理することによって生成するようになっている（ステップＳ３４）。
【００４０】
また、画像処理部１３は、判定部１２において焦点距離が「調節する価値のある撮影条件」であると判定された場合（ステップＳ３５）に、焦点距離を調節したならば得られるであろう提案画像を、撮像部２により取得された複数の画像をトリミング処理することによって生成するようになっている（ステップＳ３６）。
【００４１】
このように構成された本実施形態に係る撮像装置１および提案画像生成装置３を用いた提案画像生成方法について説明する。
図２に示されるように、ユーザが選択した適当なレンズ５を装着し、撮影指示を入力すると、被写体からの光がレンズ５によって集光され、撮像素子６によって撮影されることにより、ピント位置を異ならせた複数の画像が取得される（画像取得ステップＳ１）。そして、画像取得時のレンズ５の情報（取得時撮影条件）、および、Ｆ値、焦点距離の範囲（可調撮影条件）が、レンズ情報取得部７により取得される（撮影条件取得ステップＳ２）。可調撮影条件については、レンズ５を装着した時点で取得することにしてもよい。
【００４２】
取得された画像は、本実施形態に係る提案画像生成部３に送られ、記憶部１０に記憶される。被写体抽出部８において主要被写体および背景が抽出され（被写体抽出ステップＳ３）、距離情報取得部９により、撮像部２から主要被写体までの距離および撮像部２から背景までの距離が算出される（距離情報取得ステップＳ４）。
【００４３】
そして、判定部１２においては、まず、Ｆ値、焦点距離からなる撮影条件が調節の余地のある撮影条件であるか否かが判定され、次いで、調節の余地があると判定された場合に、算出された距離に基づいて、調節する価値がある撮影条件であるか否かが判定される（撮影条件選択ステップＳ５）。
【００４４】
Ｆ値を小さく、「調節する価値がある撮影条件」であると判定された場合には、撮像部２において取得されたいずれかの画像に対して、画像処理部１３において、電子ぼかし処理が行われ（画像処理ステップＳ６）、提案画像が生成される。
Ｆ値を大きく、「調節する価値がある撮影条件」であると判定された場合には、撮像部２において取得された複数枚の画像を用いて、画像処理部１３において、合焦処理が行われ（画像処理ステップＳ６）、提案画像が生成される。
【００４５】
また、焦点距離が、「調節する価値がある撮影条件」であると判定された場合には、撮像部２において取得されたいずれかの画像に対して、画像処理部１３において、トリミング処理が行われ（画像処理ステップＳ６）、提案画像が生成される。
提案画像は、撮影条件とその調節の余地によっては１枚のみではなく、条件を異ならせて複数枚生成されることにしてもよい。
【００４６】
そして、画像処理部１３において生成された提案画像は、表示部４に送られて表示される（表示ステップＳ７）。表示部４には、提案画像を取得するために必要な撮影条件の調節値を提案画像と併せて文字により表示するようになっている。
【００４７】
このように構成された本実施形態に係る撮像装置１、提案画像生成装置３および提案画像生成方法によれば、調節する価値のある撮影条件であると判定された場合に、当該撮影条件に設定されたならば得られるであろう提案画像が生成されて提示されるので、撮影条件の設定次第で提示されたような画像を取得できることをユーザに知らせることができるという利点がある。
【００４８】
すなわち、本実施形態においては、画像の取得時に装着されていたレンズ５のままで、レンズ交換することなく、撮影条件の設定次第で、生成された画像のような画像を取得する可能性があることをユーザに伝えることができる。特に、撮影に不慣れなユーザに対しても、撮影条件の変更による表現の幅を伝えることができ、次の撮影におけるユーザによる撮影条件設定の選択肢を広げることができるという利点がある。
【００４９】
なお、本実施形態においては、画像の取得時に装着されていたレンズ５を交換せずに撮影条件を変更した場合の提案画像を提示することとしたが、これに代えて、レンズ５を交換した場合に取得可能な提案画像を生成して提示することにしてもよい。
例えば、ユーザの所持しているレンズ５の情報、ユーザが装着したことがあるレンズ５の情報、あるいは、ユーザは所持していないが、入手可能かつ交換可能なレンズ５の情報を記憶部１０に記憶しておき、可調撮影条件の取得の際に、それらのレンズ５の情報を含めることにしてもよい。
【００５０】
また、Ｆ値を大きく調節を行うか否かを判定する際に、撮像部２から主要被写体までの距離および撮像部２から背景までの距離によって判定することとしたが、これに代えて、図５に示されるように、パンフォーカスであるか否かによって判定することとしてもよい（ステップＳ２２，Ｓ２３）。パンフォーカスは、下式により過焦点距離を求めることにより算出することができる。
【００５１】
過焦点距離＝焦点距離×焦点距離÷絞り値÷許容錯乱円
主要被写体までの距離が算出された過焦点距離より大きい場合、すなわち
被写体距離  ＞＝  過焦点距離
である場合は、パンフォーカスであると判定され、その場合には、近距離から遠距離の範囲すべてにピントが合っている状態のため、Ｆ値を大きく「調節する価値のない撮影条件」であると判定することができる。
【００５２】
また、本実施形態においては、図６に示されるように、被写体抽出部８により抽出された主要被写体の種別を判定する被写体種別判定部１４を備え、図７および図８に示されるように、判定部１２が主要被写体の種別の判定結果（ステップＳ８，Ｓ２５，Ｓ２６，Ｓ２７）に応じて、「調節する価値のある撮影条件」であるか否かを判定してもよい。
【００５３】
例えば、花や虫などマクロ撮影によってぼかす処理が似合う被写体の場合には、Ｆ値の値を小さく「調節する価値のある撮影条件」であると判定すればよい。
また、風景のようにぼかす処理が似合わない被写体の場合には、Ｆ値の値を小さく「調節する価値のある撮影条件」ではないと判定すればよい。
【００５４】
また、本実施形態においては、撮像部２により取得された画像から主要被写体までの距離および背景までの距離を算出することとしたが、これに代えて、各部の距離を測定するセンサ（図示略）を備えていてもよい。
また、本実施形態においては、撮像部２がピント位置を異ならせた複数枚の画像を取得する場合について説明したが、合焦処理を行わない場合には、１枚の画像を取得することにしてもよい。
【００５５】
また、本実施形態に係る提案画像生成方法は、上記のように回路からなる提案画像生成装置３によって実施される場合の他、コンピュータにより実行することができる提案画像生成プログラムによっても実施することができる。この場合、ＣＰＵ等のプロセッサが提案画像生成プログラムを実行することで、本実施形態に係る提案画像生成方法が実施される。
【００５６】
具体的には記憶媒体に記憶された提案画像生成プログラムが読み出され、読み出された提案画像生成プログラムがＣＰＵ等のプロセッサにより実行される。ここで、記憶媒体は、プログラムやデータ等を格納するものであり、その機能は、光ディスク（ＤＶＤ、ＣＤ等）、ハードディスクドライブあるいはメモリ（カード型メモリ、ＲＯＭ等）などにより実現できる。
【符号の説明】
【００５７】
１  撮像装置
２  撮像部
３  提案画像生成部（提案画像生成装置）
４  表示部
５  レンズ
６  撮像素子
７  レンズ情報取得部
８  被写体抽出部
９  距離情報取得部
１０  記憶部
１１  レンズ情報読取部（撮影条件取得部）
１２  判定部（撮影条件選択部）
１３  画像処理部
１４  被写体種別判別部
Ｓ１  画像取得ステップ
Ｓ２  撮影条件取得ステップ
Ｓ３  被写体抽出ステップ
Ｓ４  距離情報取得ステップ
Ｓ５  撮影条件選択ステップ
Ｓ６  画像処理ステップ
Ｓ７  表示ステップ
【図１】
2017056314.tif 000003
【図２】
2017056314.tif 000004
【図３】
2017056314.tif 000005
【図４】
2017056314.tif 000006
【図５】
2017056314.tif 000007
【図６】
2017056314.tif 000008
【図７】
2017056314.tif 000009
【図８】
2017056314.tif 000010
【国際調査報告】
2017056314.tif 000011
2017056314.tif 000012